(57)【特許請求の範囲】
【請求項１】
前面に遊技領域が形成され、厚み方向に貫通した開口を有する遊技板と、
前記遊技領域を流下した遊技球が入球可能な入賞装置ユニットとを備え、
前記入賞装置ユニットは、
前記遊技板に対して前記開口を覆う位置に設置されるベース部材と、
前記遊技板に設置された状態でみて前記ベース部材の幅方向に並び、前記遊技領域を流下した遊技球を前記遊技板の裏面側へ通過させるべく前記ベース部材を貫通して形成された一対の球通過孔と、
一対の前記球通過孔にそれぞれ対応して前記ベース部材の前面側に設けられ、前記球通過孔に通じる遊技球の流入路を形成し、かつ、この流入路の幅を変化させる開閉動作を行う一対の可動片の設置を可能にする可動片設置部と、
一対の前記球通過孔にそれぞれ対応して前記ベース部材の裏面側に設けられ、前記可動片設置部に設置された一対の前記可動片を開閉動作させる駆動機構の設置を可能にする駆動機構設置部と、
一対の前記球通過孔を覆う状態で前記ベース部材の前面側に設置され、この設置状態で、予め選択された一方の前記球通過孔に対応する前記可動片設置部との間にて一対の前記可動片を開閉動作可能に支持するとともに、予め選択された他方の前記球通過孔に対して幅が固定された遊技球の流入路を形成する前面側部材と
を備えた遊技機。
【発明の詳細な説明】
【技術分野】
【０００１】
本発明は、遊技領域を流下した遊技球を入球させる入賞装置ユニット及びこれを備えた遊技機に関する。
【背景技術】
【０００２】
従来、遊技球を用いて遊技を行う遊技機において、部品交換によって異なるタイプの遊技機に適用できる入賞装置の先行技術が知られている（例えば、特許文献１参照。）この先行技術は、入賞装置の取り付けベースに設けられた開口にアタッカーや電チュー等の電動役物の他、入賞口等の異なる部品を取り付け可能とするものである。これにより、遊技機のタイプ（いわゆる「フィーバータイプ（１種）」や「ヒコーキタイプ（２種）」）ごとに専用の入賞装置を用意しなくても、取り付ける部品を交換するだけで共通のベース（構成体）を使用することができる。
【０００３】
また、別の先行技術として、電チュー式の始動入賞口と別の始動入賞口（いわゆるヘソ部分）とを一体で構成した入賞口ユニットにおいて、ヘソ部分に相当する通過口部材を２種類に交換可能とした入賞口ユニットが知られている（例えば、特許文献２参照。）。この先行技術によれば、通過口部分をスルー構造とした場合、２つの始動入賞口で入賞検出センサを兼用とする遊技仕様（賞球数が同じ仕様）に適用することができ、通過口部分を遊技盤背面側へ遊技球を導く構造とした場合、２つの始動入賞口で入賞検出センサを別々に設ける遊技仕様（賞球数が異なる仕様）に適用することができる。
【０００４】
その他にも、大入賞口と一体の部品に一般入賞口や通過ゲートを設置可能とした大入賞口装置の先行技術がある（例えば、特許文献３参照。）。この先行技術は、大入賞口装置の取り付け用台板を中央の大入賞口部分から両側方に拡張し、その両翼に大入賞口部分を挟み込むようにして別体の一般入賞口又は通過ゲートを取り付ける構造である。このため、装置全体を取り外すことなく一般入賞口又は通過ゲートが単独で交換可能となり、これらのメンテナンス作業が容易化されると考えられる。
【先行技術文献】
【特許文献】
【０００５】
【特許文献１】特開２００２−１１１６９号公報
【特許文献２】特開２００８−２１２２７７号公報
【特許文献３】特開２００４−１７３８１１号公報
【発明の概要】
【発明が解決しようとする課題】
【０００６】
上述した各種の先行技術は、入賞装置の部品を別の種類に交換可能とすることで、異なる遊技仕様への適用性をある程度まで実現している。
しかし、いずれの場合も、装置本体の決まった位置で部品を交換すると、その交換後は以前と同じ位置で入賞口の種類が変わるというだけであり、装置本体に対する入賞口の配置そのものの変更や選択についての余地はない。このため、入賞口の種類別にその配置が全く異なるといった大胆な遊技仕様の変更にまでは対応することができず、その場合は別途、専用に入賞装置を設計し直す必要がある。
【０００７】
そこで本発明は、様々な遊技仕様への適用に際して選択の余地を広げることができる技術を提供する。
【課題を解決するための手段】
【０００８】
本発明は、上記の課題を解決するため以下の手段を採用する。
解決手段１：第１に本発明は、入賞装置ユニットを提供する。本発明の入賞装置ユニットは、前面に遊技領域が形成され、かつ、厚み方向に貫通した開口を有する遊技板に対して前記開口を覆う位置に設置されるベース部材と、前記遊技板に設置された状態でみて前記ベース部材の幅方向に並び、前記遊技領域を流下した遊技球を前記遊技板の裏面側へ通過させるべく前記ベース部材を貫通して形成された一対の球通過孔と、一対の前記球通過孔にそれぞれ対応して前記ベース部材の前面側に設けられ、前記球通過孔に通じる遊技球の流入路を形成し、かつ、この流入路の幅を変化させる開閉動作を行う一対の可動片の設置を可能にする可動片設置部と、一対の前記球通過孔にそれぞれ対応して前記ベース部材の裏面側に設けられ、前記可動片設置部に設置された一対の前記可動片を開閉動作させる駆動機構の設置を可能にする駆動機構設置部と、一対の前記球通過孔を覆う状態で前記ベース部材の前面側に設置され、この設置状態で、予め選択された一方の前記球通過孔に対応する前記可動片設置部との間にて一対の前記可動片を開閉動作可能に支持するとともに、予め選択された他方の前記球通過孔に対して幅が固定された遊技球の流入路を形成する前面側部材とを備えている。
【０００９】
本発明の入賞装置ユニットによれば、ベース部材に対する前面側部材の設置に際して、いずれの球通過孔に一対の可動片を適用するかを予め選択可能である。これにより、以下の態様を選択的に実現することができる。
（１）幅方向に並ぶ一対の球通過孔を左右で区別したとき、前面側からみて左側の球通過孔に対応する可動片設置部に一対の可動片を設置し、右側の球通過孔に対して一対の固定片を形成することができる。この場合、ベース部材の裏面側では、一対の可動片を設置した方（前面側からみて左側）の球通過孔に対応した駆動機構設置部に駆動機構を設置することができる。これにより、入賞装置ユニットは、その前面側からみて左側に電動役物（例えば電動チューリップ）を配置し、右側に入賞口（例えば始動入賞口）を配置した態様を実現することができる。
（３）上記（１）とは異なり、前面側からみて左側の球通過孔に一対の固定片を形成し、右側の球通過孔に対応する可動片設置部に一対の可動片を設置することができる。この場合、ベース部材の裏面側では、一対の可動片を設置した方（前面側からみて右側）の球通過孔に対応した駆動機構設置部に駆動機構を設置することができる。これにより、入賞装置ユニットは、その前面側からみて左側に入賞口（例えば始動入賞口）を配置し、右側に電動役物（例えば電動チューリップ）を配置した態様を実現することができる。
【００１０】
したがって、本発明の入賞装置ユニットによれば、上記（１），（２）の態様を選択的に実現するに際して、ベース部材や一対の可動片、駆動機構等の部品の多くを共通化することができる。また、遊技機への適用（搭載）に際しては、遊技機自身の遊技性（遊技状態に応じて遊技球の発射方向を切り替える等）に応じて上記（１），（２）の態様を選択的に採用することで、異なる遊技性の遊技機への適用を容易かつ低コストに実現することができる。
【００１１】
解決手段２：解決手段１において、前記前面側部材は、前面側からみて左右に並ぶ一対の前記球通過孔のうち、左側の前記球通過孔に対応する前記可動片設置部との間にて一対の前記可動片を開閉動作可能に支持するとともに、右側の前記球通過孔に対して幅が固定された遊技球の流入路を形成する第１形態と、前面側からみて左右に並ぶ一対の前記球通過孔のうち、右側の前記球通過孔に対応する前記可動片設置部との間にて一対の前記可動片を開閉動作可能に支持するとともに、左側の前記球通過孔に対して幅が固定された遊技球の流入路を形成する第２形態とを有しており、前記第１形態及び前記第２形態のうち、予め選択されたいずれか一方の形態にて前記ベース部材の前面側に設置される。
【００１２】
本解決手段によれば、予め第１形態及び第２形態の２つの形態で前面側部材を構成しておき、ベース部材への設置に際して、これら第１形態又は第２形態の前面側部材を選択的に適用することで、上記（１），（２）の態様を容易に実現することができる。換言すれば、入賞装置ユニットを構成するベース部材や一対の可動片、駆動機構等の部品の多くを共通化していても、前面側部材の形態を選択するだけで、異なる遊技性を持つ遊技機への適用を容易かつ低コストに実現することができる。
【００１３】
解決手段３：解決手段１，２において、本発明の入賞装置ユニットは、前記前面側部材に代えて一対の前記球通過孔を覆う状態で前記ベース部材の前面側に設置され、この設置状態で一対の前記球通過孔の両方に対して幅が固定された遊技球の流入路をそれぞれ形成する代替前面側部材を備え、前記前面側部材に代えて前記代替前面側部材が前記ベース部材の前面側に設置される場合、前記可動片設置部のいずれにも一対の前記可動片が設置されない。
【００１４】
本解決手段によれば、上記（１），（２）の態様に加えて第３の態様を実現することができる。
（３）すなわち、上記（１），（２）とは異なり、前面側からみて左右両側の球通過孔にそれぞれ一対の固定片を形成し、いずれの球通過孔に対応する可動片設置部にも一対の可動片は設置しない。この場合、ベース部材の裏面側にも駆動機構は設置されない。これにより、入賞装置ユニットは、その前面側からみて左右に並んだ２つの入賞口（例えば始動入賞口）を配置した態様を実現することができる。
【００１５】
このように、上記（１），（２）の態様に加えて（３）の態様を実現することにより、入賞装置ユニットとして構成の自由度がさらに広がり、より多様な遊技性への適用が可能となる。
【００１６】
解決手段４：解決手段１から３において、本発明の入賞装置ユニットは、一対の前記球通過孔の上方に位置して前記ベース部材の前面側に設置され、前記遊技領域から流入した遊技球が放出される放出口を一対の前記球通過孔に対応させて交互に振り分ける球振り分け装置をさらに備えることができる。
【００１７】
本解決手段によれば、入賞装置ユニットを搭載する遊技機の制御（大当りを決定する内部抽選や図柄を変動させるための制御）において、一対の球通過孔をそれぞれ異なる２つの図柄（例えば、第１特別図柄と第２特別図柄）に対応させた場合、２つの図柄に対応する内部抽選や変動が交互に行われる遊技性を実現することができる。また、各図柄に対応する作動記憶（内部抽選に必要な乱数等の記憶）を交互に発生させることで、図柄別の作動記憶をそれぞれ最大限（図柄別の作動記憶数の合計分）に活用した遊技性を実現することができる。
【００１８】
解決手段５：第２に本発明は、解決手段１〜４のいずれかの入賞装置ユニットを備えた遊技機を提供する。
本発明の遊技機によれば、搭載する入賞装置ユニットの態様を解決手段１〜４から自由に選択することで、多様な遊技性を容易かつ低コストに実現することができる。
【発明の効果】
【００１９】
本発明によれば、多様な遊技性を容易かつ低コストに実現することができる。
【図面の簡単な説明】
【００２０】
【図１】各種構造の入賞装置ユニットが適用されるパチンコ機の正面図である。
【図２】パチンコ機の背面図である。
【図３】第１構造の入賞装置ユニットが適用された遊技盤ユニットを単独で示した正面図である。
【図４】遊技盤ユニットの一部を拡大して示す正面図である。
【図５】第１構造の入賞装置ユニットの構成を詳細に示す分解斜視図（１／２）である。
【図６】第１構造の入賞装置ユニットの構成を詳細に示す分解斜視図（２／２）である。
【図７】第２構造の入賞装置ユニットが適用された遊技盤ユニットを単独で示した正面図である。
【図８】第２構造の入賞装置ユニットの構成を詳細に示す分解斜視図（１／２）である。
【図９】第２構造の入賞装置ユニットの構成を詳細に示す分解斜視図（２／２）である。
【図１０】第３構造の入賞装置ユニットが適用された遊技盤ユニットを単独で示した正面図である。
【図１１】第３構造の入賞装置ユニットの構成を詳細に示す分解斜視図（１／２）である。
【図１２】第３構造の入賞装置ユニットの構成を詳細に示す分解斜視図（２／２）である。
【図１３】球振り分け装置を単独で示す正面図（Ａ）及び部分断面図（Ｂ）である。
【図１４】球振り分け装置の構成をより詳細に示す分解斜視図（１／２）である。
【図１５】球振り分け装置の構成をより詳細に示す分解斜視図（２／２）である。
【図１６】球振り分け装置における遊技球の流下態様を示す斜視図である。
【図１７】球振り分け装置の動作原理について説明する図（１／２）である。
【図１８】球振り分け装置の動作原理について説明する図（２／２）である。
【図１９】球振り分け装置の内部構造を示す縦断面図（図１８中のＸＩＸ−ＸＩＸ線に沿う断面図）である。
【図２０】可変始動入賞装置２８の作動時における入賞装置ユニットの状態を示した正面図（Ａ）及び部分断面図（Ｂ）である。
【発明を実施するための形態】
【００２１】
以下、本発明の実施形態について、図面を参照しながら説明する。ここで、本発明の入賞装置ユニットは複数の構造を有しており、その中から予め選択したいずれかの構造を適用することができる。すなわち、入賞装置ユニットの構造は、第１構造、第２構造及び第３構造のいずれかから選択される。このため、以下の実施形態には、第１構造の入賞装置ユニットを適用した場合、第２構造の入賞装置ユニットを適用した場合、そして、第３構造の入賞装置ユニットを適用した場合の複数パターンが含まれるものとする。
【００２２】
図１は、各種構造の入賞装置ユニットが適用されるパチンコ遊技機（以下、「パチンコ機」と略称する。）１の正面図である。また図２は、パチンコ機１の背面図である。ここでは先ず、入賞装置ユニットを備えた遊技機としての実施形態を挙げるものとする。
【００２３】
パチンコ機１は、遊技球を遊技媒体として用いるものであり、遊技者は、遊技場運営者から遊技球を借り受けてパチンコ機１による遊技を行う。なお、パチンコ機１における遊技において、遊技球はその１個１個が遊技価値を有した媒体であり、遊技の成果として遊技者が享受する特典（利益）は、例えば遊技者が獲得した遊技球の数に基づいて遊技価値に換算することができる。以下、図１及び図２を参照しつつパチンコ機１の全体構成について説明する。
【００２４】
〔全体構成〕
パチンコ機１は、その本体として主に外枠ユニット２、一体扉ユニット４及び内枠アセンブリ７（プラ枠、遊技機枠）を備えている。遊技者に相対する正面からみて、その最も前面側には一体扉ユニット４が位置している。一体扉ユニット４の背面側（奥側）には内枠アセンブリ７が位置しており、内枠アセンブリ７の外側を囲むようにして外枠ユニット２が配置されている。
【００２５】
外枠ユニット２は、木材及び金属材を縦長の矩形状に組み合わせた構造体であり、この外枠ユニット２は、遊技場内の島設備（図示されていない）に対してねじ等の締結具を用いて固定されるものである。なお、縦長矩形状の外枠ユニット２において、上下の短辺に相当する部位には木材が用いられており、左右の長辺に相当する部位には金属材が用いられている。
【００２６】
一体扉ユニット４は、その下部位置に受皿ユニット６が一体化された構造である。一体扉ユニット４及び内枠アセンブリ７は、外枠ユニット２を介して島設備に取り付けられ、これらはそれぞれ図示しないヒンジ機構を介して開閉式に動作する。図示しないヒンジ機構の開閉軸線は、パチンコ機１の正面からみて左側端部に沿って垂直方向に延びている。
【００２７】
図１中の正面からみて内枠アセンブリ７の右側縁部（図２では左側縁部）には、その内側に統一錠ユニット９が設けられている。また、これに対応して一体扉ユニット４及び外枠ユニット２の右側縁部（裏側）にも、それぞれ図示しない施錠具が設けられている。図１に示されるように、外枠ユニット２に対して一体扉ユニット４及び内枠アセンブリ７が閉じた状態で、その裏側にある統一錠ユニット９は施錠具とともに一体扉ユニット４及び内枠アセンブリ７の開放を不能にしている。
【００２８】
また、受け皿ユニット６の右側縁部には鍵穴付きのシリンダ錠６ａが設けられている。例えば、遊技場の管理者が専用キーを鍵穴に差し込んでシリンダ錠６ａを時計回りに捻ると、統一錠ユニット９が作動して内枠アセンブリ７とともに一体扉ユニット４の開放が可能な状態となる。これら全体を外枠ユニット２から前面側へ開放する（扉のように動かす）と、前面側にてパチンコ機１の裏側が露出することになる。
【００２９】
一方、シリンダ錠６ａを反時計回りに捻ると、内枠アセンブリ７は施錠されたままで一体扉ユニット４の施錠だけが解除され、一体扉ユニット４が開放可能となる。一体扉ユニット４を前面側へ開放すると遊技盤ユニット８が直に露出し、この状態で遊技場の管理者が盤面内での球詰まり等の障害を取り除くことができる。また一体扉ユニット４を開放すると、受け皿ユニット６も一緒に前面側へ開放される。
【００３０】
またパチンコ機１は、遊技用ユニットとして上記の遊技盤ユニット８を備えている。遊技盤ユニット８は、一体扉ユニット４の背後（内側）で上記の内枠アセンブリ７に支持されている。遊技盤ユニット８は、例えば一体扉ユニット４を前面側へ開放した状態で内枠アセンブリ７に対して着脱可能である。一体扉ユニット４には、その中央部に縦長円形状の窓４ａが形成されており、この窓４ａ内にガラスユニット４ｂが取り付けられている。ガラスユニット４ｂは、例えば窓４ａの形状に合わせてカットされた２枚の透明板（ガラス板）を組み合わせたものである。ガラスユニット４ｂは、一体扉ユニット４の裏側に図示しない取り付け具を介して取り付けられる。遊技盤ユニット８の前面には遊技領域８ａ（盤面、遊技盤）が形成されており、この遊技領域８ａは窓４ａを通じて前面側から遊技者に視認可能である。一体扉ユニット４が閉じられると、ガラスユニット４ｂの内面と盤面との間に遊技球が流下できる空間が形成される。
【００３１】
受け皿ユニット６は、全体的に一体扉ユニット４から前面側へ突出した形状をなしており、その上面に上皿６ｂが形成されている。この上皿６ｂには、遊技者に貸し出された遊技球（貸球）や入賞により獲得した遊技球（賞球）を貯留することができる。また受け皿ユニット６には、上皿６ｂの下段位置に下皿６ｃが形成されている。この下皿６ｃには、上皿６ｂが満杯の状態でさらに払い出された遊技球が貯留される。なお本実施形態のパチンコ機１はいわゆるＣＲ機（ＣＲユニットに接続する機種）であり、遊技者が借り受けた遊技球は、賞球とは別に裏側の払出装置ユニット１７２から受け皿ユニット６（上皿６ｂ又は下皿６ｃ）に払い出される。
【００３２】
受け皿ユニット６の上面には貸出操作部１４が設けられており、この貸出操作部１４には、球貸ボタン１０及び返却ボタン１２が配置されている。図示しないＣＲユニットに有価媒体（例えば磁気記録媒体、記憶ＩＣ内蔵媒体等）を投入した状態で球貸ボタン１０を遊技者が操作すると、予め決められた度数単位（例えば５度数）に対応する個数（例えば１２５個）分の遊技球が貸し出される。このため貸出操作部１４の上面には度数表示部（図示されていない）が配置されており、この度数表示部には、ＣＲユニットに投入されている有価媒体の残存度数が表示される。なお遊技者は、返却ボタン１２を操作することで、度数が残存している有価媒体の返却を受けることができる。本実施形態ではＣＲ機を例に挙げているが、パチンコ機１はＣＲ機とは別の現金機（ＣＲユニットに接続されない機種）であってもよい。
【００３３】
また、受け皿ユニット６の上面には、上段位置にある上皿６ｂの手前に上皿球抜きボタン６ｄが設置されており、そして下皿６ｃの手前でその中央部には下皿球抜きレバー６ｅが設置されている。遊技者は上皿球抜きボタン６ｄを例えば押し込み操作することで、上皿６ｂに貯留された遊技球を下皿６ｃへ流下させることができる。また遊技者は、下皿球抜きレバー６ｅを例えば左方向へスライドさせることで、下皿６ｃに貯留された遊技球を下方へ落下させて排出することができる。排出された遊技球は、例えば図示しない球受け箱等に受け止められる。
【００３４】
受け皿ユニット６の右下部には、ハンドルユニット１６が設置されている。遊技者はこのハンドルユニット１６を操作することで発射制御基板セット１７４を作動させ、遊技領域８ａに向けて遊技球を発射する（打ち込む）ことができる（球発射装置）。発射された遊技球は、遊技盤ユニット８の下縁部から左側縁部に沿って上昇し、図示しない外バンドに案内されて遊技領域８ａ内に放り込まれる。遊技領域８ａ内には多数の障害釘や風車（図中参照符号なし）等が配置されており、放り込まれた遊技球は障害釘や風車により誘導・案内されながら遊技領域８ａ内を流下する。なお、遊技領域８ａ内（盤面、遊技盤）の構成については、別の図面を参照しながらさらに後述する。
【００３５】
〔枠前面の構成〕
一体扉ユニット４には、演出用の構成要素として左トップレンズユニット４７及び右上電飾ユニット４９が設置されている。このうち左トップレンズユニット４７にはガラス枠トップランプ４６及び左側のガラス枠装飾ランプ４８が組み込まれており、右上電飾ユニット４９には右側のガラス枠装飾ランプ５０が組み込まれている。その他にも一体扉ユニット４には、左トップレンズユニット４７及び右上電飾ユニット４９の下方にそれぞれ連なるようにして左右のガラス枠装飾ランプ５２が設置されており、これらガラス枠装飾ランプ５２は、一体扉ユニット４の左右縁部から受皿ユニット６の前面部にまで回り込むようにして延びている。一体扉ユニット４においてガラス枠トップランプ４６や左右のガラス枠装飾ランプ４８，５０，５２等は、ガラスユニット４ｂを取り巻くようにして配置されている。
【００３６】
上述した各種ランプ４６，４８，５０，５２は、例えば内蔵するＬＥＤの発光（点灯や点滅、輝度階調の変化、色調の変化等）により演出を実行する。また一体扉ユニット４の上部において、左トップレンズユニット４７及び右上電飾ユニット４９にはそれぞれガラス枠上スピーカ５４，５５が組み込まれている。一方、外枠ユニット２の左下位置には外枠スピーカ５６が組み込まれている。これらスピーカ５４，５５，５６は、効果音やＢＧＭ、音声等（音響全般）を出力して演出を実行するものである。
【００３７】
また受け皿ユニット６の中央には、上皿６ｂの手前位置に演出切替ボタン４５が設置されている。演出切替ボタン４５は、例えば押し込み式の円形状ボタンとその周囲に回転式のジョグリング（ジョグダイアル）を組み合わせた形態である。遊技者は、この演出切替ボタン４５を押し込み操作又は回転操作することで演出内容（例えば液晶表示器４２に表示される背景画面）を切り替えたり、例えば図柄の変動中や大当りの確定表示中、あるいは大当り遊技中に何らかの演出（予告演出、確変昇格演出、大役中の昇格演出等）を発生させたりすることができる。
【００３８】
〔裏側の構成〕
図２に示されているように、パチンコ機１の裏側には、電源制御ユニット１６２や主制御基板ユニット１７０、払出装置ユニット１７２、流路ユニット１７３、発射制御基板セット１７４、払出制御基板ユニット１７６、裏カバーユニット１７８等が設置されている。この他にパチンコ機１の裏側には、パチンコ機１の電源系統や制御系統を構成する各種の電子機器類（図示しない制御コンピュータを含む）や外部端子板１６０、電源コード（電源プラグ）１６４、アース線（アース端子）１６６、図示しない接続配線等が設置されている。
【００３９】
上記の払出装置ユニット１７２は、例えば賞球タンク１７２ａ及び賞球ケース（参照符号なし）を有しており、このうち賞球タンク１７２ａは内枠アセンブリ７の上縁部（裏側）に設置された状態で、図示しない補給経路から補給された遊技球を蓄えることができる。賞球タンク１７２ａに蓄えられた遊技球は、図示しない上側賞球樋を通じて賞球ケースに導かれる。流路ユニット１７３は、払出装置ユニット１７２から送り出された遊技球を前面側の受け皿ユニット６に向けて案内する。
【００４０】
また上記の外部端子板１６０は、パチンコ機１を外部の電子機器（例えばデータ表示装置、ホールコンピュータ等）に接続するためのものであり、この外部端子板１６０からは、パチンコ機１の遊技進行状態やメンテナンス状態等を表す各種の外部情報信号（例えば賞球情報、扉開放情報、図柄確定回数情報、大当り情報、始動口情報等）が外部の電子機器に向けて出力されるものとなっている。
【００４１】
電源コード１６４は、例えば遊技場の島設備に設置された電源装置（例えばＡＣ２４Ｖ）に接続されることで、パチンコ機１の動作に必要な電源（電力）を確保するものである。またアース線１６６は、同じく島設備に設置されたアース端子に接続されることで、パチンコ機１のアース（接地）を確保するものである。
【００４２】
〔第１構造の適用例〕
図３は、第１構造の入賞装置ユニット１９０が適用された遊技盤ユニット８を単独で示した正面図である。遊技盤ユニット８は、ベースとなる遊技板８ｂを備えており、この遊技板８ｂの前面側に遊技領域８ａが形成されている。遊技板８ｂは、例えば透明樹脂板で構成されており、遊技盤ユニット８が内枠アセンブリ７に固定された状態で、遊技板８ｂの前面はガラスユニット４ｂに平行となる。遊技板８ｂの前面には、略円形状に設置された発射レール（参照符号なし）の内側に上記の遊技領域８ａが形成されている。
【００４３】
遊技領域８ａ内には、始動ゲート２０や普通入賞口２２，２４の他、入賞装置ユニット１９０、可変入賞装置３０等が設置されている。なお、入賞装置ユニット１９０は、球振り分け装置２００及び始動入賞口ユニット３００を含む構成である。図３中の矢印で示されるように、遊技領域８ａ内に打ち込まれた遊技球は、その流下の過程で無作為に始動ゲート２０を通過したり、普通入賞口２２，２４に入賞したり、あるいは、球振り分け装置２００を通過したり、始動入賞口ユニット３００にて入球したりする。なお、始動入賞口ユニット３００は、例えば左右に並んだ２つの始動入賞口（図３には示されていない）を有しており、球振り分け装置２００で振り分けられた遊技球は、始動入賞口ユニット３００において左右いずれかの始動入賞口に入球することができる。
【００４４】
打ち込まれた遊技球のうち、始動ゲート２０を通過した遊技球は続けて遊技領域８ａ内を流下するが、普通入賞口２２，２４に入賞するか、もしくは始動入賞口ユニット３００にて左右いずれかの始動入賞口に入球した遊技球は、遊技板８ｂに形成された開口（図示していない）を通じて遊技盤ユニット８の裏側へ回収される。なお、球振り分け装置２００及び始動入賞口ユニット３００を含めた入賞装置ユニット１９０の詳細については、別の図面を参照しながらさらに後述する。
【００４５】
第１構造の入賞装置ユニット１９０において、始動入賞口ユニット３００の左側に可変始動入賞装置２８が設置されている。可変始動入賞装置２８は、第１構造の入賞装置ユニット１９０において左側の始動入賞口に対応するものである。
【００４６】
可変始動入賞装置２８は、例えば左右一対の可動片２８ｂを有しており、これら可動片２８ｂは、例えばソレノイド（図３には示されていない）を用いたリンク機構の働きにより、盤面（遊技板８ｂの前面）に沿って左右方向に往復動作する。このような往復動作は、一対の可動片２８ｂの間に形成される遊技球の流入路の幅を変化させる動作に相当し、本実施形態ではこれを開閉動作と称する。そして、可変始動入賞装置２８は所定の条件が満たされた場合（普通図柄が当りの態様で停止表示時間にわたり停止表示された場合）に作動し、上記の開閉動作を行う。
【００４７】
一対の可動片２８ｂの開閉動作は、以下の態様で行われる。すなわち、図中に実線で示されるように、先端が上を向いた状態で左右の可動片２８ｂは非作動位置にあり、このとき可動片２８ｂの間で遊技球が流入できる開口幅は狭められた状態となっている。なお、このとき可変始動入賞装置２８での入球は容易化されていないが、入球の発生自体は可能な状態である。すなわち、左右一対の可動片２８ｂの上方からは遊技球が流入可能であり、例えば球振り分け装置２００から放出された遊技球は、左右一対の可動片２８ｂの間に流入することができる。
【００４８】
一方、可変始動入賞装置２８が作動すると、図中に二点鎖線で示されているように、左右の可動片２８ｂはそれぞれ非作動位置から開放位置に向けて変位（拡開）し、これらの間に形成される流入路の幅を左右に拡大する。この間に可変始動入賞装置２８は遊技球の流入が容易化された状態となり、非作動時と比較して入球を容易に発生させることができる。なお、可変始動入賞装置２８や左側の始動入賞口の詳細については、別の図面を参照しながらさらに後述する。
【００４９】
また、始動入賞口ユニット３００には、可変始動入賞装置２８の右側に一対の固定片３０２ａが設置されている。一対の固定片３０２ａは、第１構造の入賞装置ユニット１９０において、右側の始動入賞口に対応している（ただし、入賞口そのものではない）。
【００５０】
一対の固定片３０２ａもまた、その間に遊技球の流入路を形成しているが、その幅は常時固定である。なお、一対の可動片２８ｂの幅は固定されているが、これら可動片２８ｂの上方から遊技球が流入可能であり、例えば球振り分け装置２００から放出された遊技球は、図示しない右側の始動入賞口に入球した後、左右一対の固定片３０２ａの間に流入することができる。なお、固定片３０２ａや右側の始動入賞口の詳細についても、別の図面を参照しながらさらに後述する。
【００５１】
遊技板８ｂに設置されている障害釘の配列は、基本的に球振り分け装置２００や始動入賞口ユニット３００に向けて遊技球の流下を案内しやすい態様となっているが、必ず遊技球が球振り分け装置２００や左右の始動入賞口（一対の可動片２８ｂの間又は一対の固定片３０２ａの間）に流入するというわけではなく、あくまで遊技球の流入は無作為に発生する。
【００５２】
また、上記の可変入賞装置３０は、規定の条件が満たされた場合（特別図柄が非当選以外の態様で停止表示時間にわたり停止表示された場合）に作動し、大入賞口（参照符号なし）への入球（入賞）を可能にする（特別電動役物）。可変入賞装置３０は、遊技領域８ａ内の上部位置に設けられた入賞装置であり（いわゆる上方アタッカー）、本実施形態では演出ユニット４０（詳細は後述）の上端部の左側に可変入賞装置３０が配置されている。可変入賞装置３０は例えば１つの開閉部材３０ａを有しており、この開閉部材３０ａは、例えば図示しないソレノイドを用いたリンク機構の働きにより、閉位置から開放位置に向けて変位する。図示のように先端が上を向いた状態（演出ユニット４０と連続している状態）で開閉部材３０ａは閉位置（閉止状態）にあり、このとき大入賞口への入球（入賞）は常に不能（大入賞口は閉塞中）である。可変入賞装置３０が作動すると、開閉部材３０ａが図示しないヒンジを中心として左方へ倒れ込むようにして変位し、大入賞口を開放する（開放状態）。この間に可変入賞装置３０は遊技球の流入が不能ではない状態となり、大入賞口への入球（入賞）を発生させることができる。なお、このとき開閉部材３０ａは大入賞口への遊技球の流入を案内する部材としても機能する。大入賞口に流入した遊技球は、カウントスイッチ８４を通過して入球（入賞）を検出された後、回収通路（参照符号なし）を通じて遊技盤ユニット８の裏側へ回収される。
【００５３】
遊技盤ユニット８には、その中央位置から右側部分にかけて上記の演出ユニット４０が設置されている。演出ユニット４０は、その上縁部４０ａが遊技球の流下方向を変化させる案内部材として機能する他、その内側に各種の装飾部品４０ｂ，４０ｃ，４０ｋ，４０ｍ等を備えている。装飾部品４０ｂ，４０ｃ，４０ｋ，４０ｍはその立体的な造形により遊技盤ユニット８の装飾性を高めるとともに、例えば内蔵された発光器（ＬＥＤ等）により透過光を発することで、演出的な動作をすることができる。また、演出ユニット４０の内側には液晶表示器４２（画像表示器）が設置されており、この液晶表示器４２には特別図柄に対応させた演出図柄をはじめ、各種の演出画像が表示される。このように遊技盤ユニット８は、その盤面の構成や演出ユニット４０の装飾性に基づいて、遊技者にパチンコ機１の特徴を印象付けている。また、本実施形態のように遊技板８ｂが透明樹脂板（例えばアクリル板）である場合、前面側だけでなく遊技板８ｂの背後に配置された各種の装飾体（可動体や発光体を含む）による装飾性を付加することができる。
【００５４】
演出ユニット４０の左側縁部には球案内通路４０ｄが形成されており、その下縁部には転動ステージ４０ｅが形成されている。球案内通路４０ｄは遊技領域８ａ内にて左斜め上方に開口しており、遊技領域８ａ内を流下する遊技球が無作為に球案内通路４０ｄ内に流入すると、その内部を通過して転動ステージ４０ｅ上に放出される。転動ステージ４０ｅの上面は滑らかな湾曲面を有しており、ここでは遊技球が左右方向に転動自在である。転動ステージ４０ｅ上で転動した遊技球は、やがて下方の遊技領域８ａ内に流下する。転動ステージ４０ｅには、その略中央位置に球放出部４０ｉが形成されており、転動ステージ４０ｅから球放出部４０ｉを介して流下した遊技球は、その真下にある球振り分け装置２００に入球しやすくなる（ただし、必ず入球するわけではない。）。
【００５５】
また、転動ステージ４０ｅの略中央位置には流入通路４０ｇが形成されており、この流入通路４０ｇには転動ステージ４０ｅから遊技球が無作為に流入し得る。流入通路４０ｇは演出ユニット４０の下縁部を下方に延びた後、手前側へＬ字形状に屈曲して形成されており、その終端に球放出口４０ｈが形成されている。球放出口４０ｈは前面に向けて開口しており、その開口位置が球振り分け装置２００の真上に位置している。このため転動ステージ４０ｅ上から流入通路４０ｇ内に流入した遊技球は、球放出口４０ｈから放出されて、その真下にある球振り分け装置２００に流入しやすくなる（ただし、常に流入するわけではない。）。
【００５６】
また、演出ユニット４０には、液晶表示器４２の右上位置に大型回転ランプ４１が設置されている。大型回転ランプ４１は、例えば光透過性の樹脂カバーと装飾体（いずれも参照符号なし）から構成されている。このうち樹脂カバーは、例えば赤色半透明の材料で容器（ドーム底）形状に成形されており、樹脂カバーの内部には発光体（例えばＬＥＤ）と反射体（図示されていない）が設けられている。反射体は、例えば凹面鏡を模した構造であり、その鏡面を反射体に対向させた状態で配置されている。また反射体は、例えば図示しないモータの動力により、樹脂カバーの内部で回転運動することができる。このとき反射板は、その鏡面を発光体の周囲に沿って回転させる動きをする。なお、モータの回転軸線は樹脂カバーの中心軸線（図３中で僅かに右側に傾斜した仮想線）に一致している。
【００５７】
このため大型回転ランプ４１は、発光体を発光させながら反射体をモータで回転させることにより、発光体の光を凹面鏡で集光しながら反射し、その反射光を灯台のように回転させながら樹脂カバーに透過させることができる。このとき発光体が白色光を発するものであっても、樹脂カバーの材料が赤色半透明であるため、大型回転ランプ４１の発光動作は、あたかも赤色回転灯が回転発光動作しているかのように視認されることになる。
【００５８】
その他、遊技領域８ａ内にはアウト口３２が形成されており、各種入賞口に入球（入賞）しなかった遊技球は最終的にアウト口３２を通じて遊技盤ユニット８の裏側へ回収される。また、普通入賞口２２，２４や始動入賞口ユニット３００、可変入賞装置３０に入球した遊技球も含めて、遊技領域８ａ内に打ち込まれた全ての遊技球は遊技盤ユニット８の裏側へ回収される。回収された遊技球は、図示しないアウト通路アセンブリを通じてパチンコ機１の裏側から枠外へ排出され、さらに図示しない島設備の補給経路に合流する。
【００５９】
図４は、遊技盤ユニット８の一部（窓４ａ内の右下位置）を拡大して示す正面図である。すなわち遊技盤ユニット８には、例えば窓４ａ内の右下位置に普通図柄表示装置３３及び普通図柄作動記憶ランプ３３ａが設けられている他、第１特別図柄表示装置３４、第２特別図柄表示装置３５及び遊技状態表示装置３８が設けられている。このうち普通図柄表示装置３３は、例えば２つのランプ（ＬＥＤ）を交互に点灯させて普通図柄を変動表示し、そしてランプの点灯又は消灯により普通図柄を停止表示する。普通図柄作動記憶ランプ３３ａは、例えば２つのランプ（ＬＥＤ）の消灯又は点灯、点滅の組み合わせによって０〜４個の記憶数を表示する。例えば、２つのランプをともに消灯させた表示態様では記憶数０個を表示し、１つのランプを点灯させた表示態様では記憶数１個を表示し、同じ１つのランプを点滅させた表示態様では記憶数２個を表示し、１つのランプの点滅に加えてもう１つのランプを点灯させた表示態様では記憶数３個を表示し、そして２つのランプをともに点滅させた表示態様では記憶数４個を表示する、といった具合である。なお、ここでは２つのランプ（ＬＥＤ）を使用することとしているが、４つのランプ（ＬＥＤ）を使用して普通図柄作動記憶ランプ３３ａを構成してもよい。この場合、点灯するランプの個数で作動記憶数を表示することができる。
【００６０】
普通図柄作動記憶ランプ３３ａは、上記の始動ゲート２０を遊技球が通過すると、その都度、作動抽選の契機となる通過が発生したことを記憶する意味で１個ずつ増加後の表示態様へと変化していき（最大４個まで）、その通過を契機として普通図柄の変動が開始されるごとに１個ずつ減少後の表示態様へと変化していく。なお本実施形態では、普通図柄作動記憶ランプ３３ａが未点灯（記憶数が０個）の場合、普通図柄が既に変動開始可能な状態（停止表示時）で始動ゲート２０を遊技球が通過しても表示態様は変化しない。すなわち、普通図柄作動記憶ランプ３３ａの表示態様によって表される記憶数（最大４個）は、その時点で未だ普通図柄の変動が開始されていない通過の回数を表している。
【００６１】
また、第１特別図柄表示装置３４及び第２特別図柄表示装置３５は、例えばそれぞれ７セグメントＬＥＤ（ドット付き）により、対応する第１特別図柄又は第２特別図柄の変動状態と停止状態とを表示することができる（図柄表示手段）。なお、第１特別図柄表示装置３４や第２特別図柄表示装置３５は、複数のドットＬＥＤを幾何学的（例えば円形状）に配列した形態であってもよい。
【００６２】
また、第１特別図柄作動記憶ランプ３４ａ及び第２特別図柄作動記憶ランプ３５ａは、例えばそれぞれ２つのランプ（ＬＥＤ）の消灯又は点灯、点滅の組み合わせで構成される表示態様により、それぞれ０〜４個の記憶数を表示する（記憶数表示手段）。例えば、２つのランプをともに消灯させた表示態様では記憶数０個を表示し、１つのランプを点灯させた表示態様では記憶数１個を表示し、同じ１つのランプを点滅させた表示態様では記憶数２個を表示し、１つのランプの点滅に加えてもう１つのランプを点灯させた表示態様では記憶数３個を表示し、そして２つのランプをともに点滅させた表示態様では記憶数４個を表示する、といった具合である。
【００６３】
第１特別図柄作動記憶ランプ３４ａは、始動入賞口ユニット３００において一対の固定片３０２ａの間に遊技球が流入するごとに、右側の始動入賞口への入賞が発生したことを記憶する意味で１個ずつ増加後の表示態様へと変化していき（最大４個まで）、その入賞を契機として特別図柄の変動が開始されるごとに１個ずつ減少後の表示態様へと変化していく。また第２特別図柄作動記憶ランプ３５ａは、始動入賞口ユニット３００において可変始動入賞装置２８に遊技球が流入するごとに、左側の始動入賞口への入賞が発生したことを記憶する意味で１個ずつ増加後の表示態様へと変化し（最大４個まで）、その入賞を契機として特別図柄の変動が開始されるごとに１個ずつ減少後の表示態様へと変化する。なお本実施形態では、第１特別図柄作動記憶ランプ３４ａが未点灯（記憶数が０個）の場合、第１特別図柄が既に変動開始可能な状態（停止表示時）で一対の固定片３０２ａの間に遊技球が流入しても表示態様は変化しない。また第２特別図柄作動記憶ランプ３５ａが未点灯（記憶数が０個）の場合、第２特別図柄が既に変動開始可能な状態（停止表示時）で可変始動入賞装置２８に遊技球が流入しても表示態様は変化しない。すなわち、各特別図柄作動記憶ランプ３４ａ，３５ａの表示態様により表される記憶数（最大４個）は、その時点で未だ第１特別図柄又は第２特別図柄の変動が開始されていない入賞の回数を表している。
【００６４】
また遊技状態表示装置３８には、例えば大当り種別表示ランプ３８ａ，３８ｂ、確率変動状態表示ランプ３８ｃ、時短状態表示ランプ３８ｄ、発射位置指定ランプ３８ｅ（不使用）にそれぞれ対応する５つのＬＥＤが含まれている。なお、本実施形態では、上述した普通図柄表示装置３３や普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ及び遊技状態表示装置３８が１枚の統合表示基板８９に実装された状態で遊技盤ユニット８に取り付けられている。
【００６５】
〔入賞装置ユニットの構成（第１構造）〕
図５及び図６は、第１構造の入賞装置ユニット１９０の構成を詳細に示す分解斜視図である。このうち図５は、入賞装置ユニット１９０を斜め上前方から示し、図６は入賞装置ユニット１９０を斜め上後方から示している。
【００６６】
上記のように入賞装置ユニット１９０は、球振り分け装置２００及び始動入賞口ユニット３００を有しており、このうち球振り分け装置２００が始動入賞口ユニット３００の上方に位置している。入賞装置ユニット１９０はベース部材１９２を備えており、このベース部材１９２は、上記の遊技板８ｂ（図３に示す）に設けられた開口を覆う位置に設置されるものとなっている。球振り分け装置２００は、大きく分けてフロントパーツ２００ａ及びリヤパーツ２００ｂから構成されており、これら２つのパーツ２００ａ，２００ｂがベース部材１９２を挟んで前後に位置している。すなわち、フロントパーツ２００ａはベース部材１９２の前面側に設置されており、リヤパーツ２００ｂはベース部材１９２の裏面側に設置されている。なお、各パーツ２００ａ，２００ｂの内部構造についてはさらに後述する。
【００６７】
〔共通構成〕
上記の球振り分け装置２００は、入賞装置ユニット１９０が第１〜第３構造のいずれであっても共通の構成とすることができる。また、ベース部材１９２についても、入賞装置ユニット１９０を第１〜第３構造のいずれとする場合であっても共通の構成を適用することができる。以下、共通構成のベース部材１９２について説明する。
【００６８】
〔球通過孔〕
球振り分け装置２００の下方で、ベース部材１９２の下部位置には、幅方向（左右）に並んで一対をなす２つの球通過孔１９６が形成されている。これら球通過孔１９６は互いに同一形状であり、いずれもベース部材１９２を厚み方向に貫通して形成されている。これら球通過孔１９６は、始動入賞口ユニット３００において一対の可動片２８ｂの間、又は固定片３０２ａの間に流入した遊技球を１個ずつ遊技盤ユニット８の裏面側へ通過させることができる。
【００６９】
〔可動片設置部〕
また、ベース部材１９２には、各球通過孔１９６の両側で一対をなす２つの円弧状孔１９４及び２つのピン穴１９５が形成されている。このため、円弧状孔１９４及びピン穴１９５は一対の球通過孔１９６にそれぞれ対応して２つずつ、左右で合計２組となっている。円弧状孔１９４はベース部材１９２を厚み方向に貫通して形成されているが、ピン穴１９５はベース部材１９２を前面側から厚み方向に陥没させた上で、その裏面側を凸状に盛り上げて形成されている。ベース部材１９２の前面側からみて、球通過孔１９６の右側で円弧状孔１９４はＣ字形状であり、左側では逆Ｃ字形状となっている。また、各ピン穴１９５は、各円弧状孔１９４が描く円弧の中心に位置している。
【００７０】
可変始動入賞装置２８を構成する一対の可動片２８ｂは、ヒンジピン２８ｄを介してベース部材１９２に設置されている。このときヒンジピン２８ｄは、その大部分が各可動片２８ｂに挿入されているが、前面側と裏面側で両端部がそれぞれ突出し、このうち裏面側に突出した端部がピン穴１９５に嵌め合わされている。また、一対の可動片２８ｂには、それぞれ裏面側に突出するリンクロッド２８ｃが一体に形成されており、これらリンクロッド２８ｃは、一対の可動片２８ｂの設置状態にて、それぞれ円弧状孔１９４に挿入されている。
【００７１】
〔駆動機構設置部〕
一方、ベース部材１９２の裏面側には、一対の通過孔１９６にそれぞれ対応して、２組の設置用ボス１９２ａが形成されている。設置用ボス１９２ａは合計で４本あるが、このうち各通過孔１９６の両側に位置する２本が１つの組をなし、左右で合計２組となっている。
【００７２】
〔駆動機構〕
可変始動入賞装置２８は、駆動機構の動力源となるソレノイド８８を備えており、このソレノイド８８がブラケット８８０を介してベース部材１９２の裏面側に設置されている。このときブラケット８８０は、上記の設置用ボス１９２ａにねじ留めされる。また、可変始動入賞装置２８は、ソレノイド８８の他に駆動機構として２つのリンクアーム８８２、リンクピン８８６及び１本のリンクロッド８８４を備えており、このうちリンクロッド８８４がソレノイド８８のプランジャ（参照符号なし）に取り付けられている。リンクロッド８８４はプランジャを中心として左右（水平方向）に延びており、その両端に各リンクアーム８８２の一端部がピン接合されている。各リンクアーム８８２はＬ字形状をなしており、そのＬ字に折れ曲がった中間位置がリンクピン８８６を介してブラケット８８０に支持されている。リンクアーム８８２の他端部は側面視でＣ字形状をなしており、そのＣ字の開いた先端部分が各可動片２８ｂのリンクロッド２８ｃの端部を上下からくわえ込むようにして取り付けられる。
【００７３】
ソレノイド８８がＯＦＦの状態でプランジャが伸長していると、各リンクアーム８８２が各可動片２８ｂのリンクロッド２８ｃを押し下げているので、一対の可動片２８ｂは上述した非作動位置に保持される。ソレノイド８８がＯＮの状態でプランジャが収縮すると、リンクロッド８８４がソレノイド８８に引きつけられて後退し、これに伴って各リンクアーム８８２が各可動片２８ｂのリンクロッド２８ｃを持ち上げる。これにより、一対の可動片２８ｂがヒンジピン２８ｄを中心として左右対称に回転（約４分の１回転）し、上述した開放位置に変位する。このとき、持ち上げられたリンクロッド２８ｃは、各円弧状孔１９４に沿って円運動する。この後、ソレノイド８８がＯＦＦになると、図示しないターンスプリングの反発力でプランジャが伸長し、一対の可動片２８ｂは再び非作動位置に復帰する。
【００７４】
ここで、上記のようにベース部材１９２には、左右一対をなす球通過孔１９６にそれぞれ対応して、前面側には左右２組の円弧状孔１９４及びピン穴１９５が設けられており、裏面側には左右２組の設置用ボス１９２ａが設けられている。このため、ベース部材１９２には左右いずれの球通過孔１９６に対しても、選択的に一対の可動片２８ｂを設置することが可能であるし、また、ソレノイド８８をはじめとした駆動機構を設置することが可能である。
【００７５】
その上で、図５及び図６に示される第１構造の入賞装置ユニット１９０では、前面側からみて左側に位置する１組の円弧状孔１９４及びヒンジピン２８ｄを選択的に用いて一対の可動片２８ｂが設置されており、裏面側ではこれに対応する方（前面側からみて左側）に位置する１組の設置用ボス１９２ａを用いてソレノイド８８等の駆動機構が設置されている。このように、第１構造の入賞装置ユニット１９０を構成する場合、始動入賞口ユニット３００には第１形態の前面側部材３０２が適用されるものとなっている。以下、第１形態の前面側部材３０２について説明する。
【００７６】
〔第１形態の前面側部材〕
前面側部材３０２は、左右一対の球通過孔１９６を覆う状態でベース部材１９２の前面側に設置される。このとき第１形態の前面側部材３０２は、前面側からみて左側の球通過孔１９６に対応する円弧状孔１９４及びピン穴１９５の組との間で一対の可動片２８ｂを支持し、右側の球通過孔１９６に対応する位置に上記の固定片３０２ａを有する構造となっている。
【００７７】
すなわち、前面側部材３０２の内壁には、前面側からみて左側に一対のピン穴３０２ｅが形成されており、これらピン穴３０２ｅには、一対の可動片２８ｂから前面側に突出したヒンジピン２８ｄの端部が嵌め合わされる。これにより、前面側部材３０２の取付状態で、一対の可動片２８ｂが開閉動作可能に支持されることになる。
【００７８】
また、前面側部材３０２の内部には、前面側からみて左側に可動片受け部３０２ｂが一体に形成されており、この可動片受け部３０２ｂは、一対の可動片２８ｂの下方を覆っている。また、一対の可動片２８ｂが開放位置に変位した状態で、可動片受け部３０２ｂは各可動片２８ｂの外面を支持することができる。
【００７９】
さらに前面側部材３０２の内部には、可動片受け部３０２ｂと一体に球受け部３０２ｃが形成されている。この球受け部３０２ｃは、一対の可動片２８ｂの間に流入した遊技球を受け止め、対応する球通過孔１９６に向けて誘導する。また、合わせて前面側部材３０２の内部には、左右方向でみて可動片受け部３０２ｂ及び球受け部３０２ｃの中央位置に球誘導リブ３０２ｄが形成されている。球誘導リブ３０２ｄは、前面側部材３０２の内壁面と球受け部３０２ｃの底面との間の隅角部に位置し、側面視では上方から球通過孔１９６の下縁に向けて円弧状に湾曲している。このため、一対の可動片２８ｂの間に流入してきた遊技球は、球受け部３０２ｃに受け止められつつ、球誘導リブ３０２ｄに案内されてスムーズに球通過孔１９６を通過することができる。
【００８０】
一方、前面側部材３０２の前面側からみて右側の内部には、上記のように一対の固定片３０２ａが一体に形成されている。一対の固定片３０２ａは前面側部材３０２の内部でつながっており、これらが全体として背面視でＵ字形状をなしている。そして、一対の固定片３０２ａの中央位置には、球受け部３０２ｃと同様の球誘導リブ３０２ｄが形成されている。このため、一対の固定片３０２ａの間に流入してきた遊技球は、前面側部材３０２の内部で受け止められ、球誘導リブ３０２ｄに案内されてスムーズに球通過孔１９６を通過することができる。
【００８１】
〔その他の構成〕
その他にも入賞装置ユニット１９０には、共通構成部品として右始動入賞口スイッチ８０、左始動入賞口スイッチ８２、裏カバー３０４，３０６等を有している。左右の始動入賞口スイッチ８０，８２は、それぞれ対応する球通過孔１９６を遊技球が通過したことを検出する。裏カバー３０４，３０６は、ベース部材１９２の裏面にねじ留めして設置されることで、右始動入賞口スイッチ８０又は左始動入賞口スイッチ８２の脱落を防止する。また、裏カバー３０４，３０６には、それぞれ球誘導部３０４ａ，３０６ａが一体に形成されており、これら球誘導部３０４ａ，３０６ａは、対応する球通過孔１９６を通過した遊技球を図示しないアウト通路アセンブリに向けて誘導する。なお、前面側からみて左側の裏カバー３０４は、リンクアーム８８２との干渉が防止された形状となっている。
【００８２】
〔第１構造のまとめ〕
以上のように第１構造の入賞装置ユニット１９０では、予め選択された第１形態の前面側部材３０２をベース部材１９２に取り付けることで、左側の球通過孔１９６を可変始動入賞装置２８に対応させるとともに、右側の球通過孔１９６を始動入賞口に対応させて使用することができる。
【００８３】
第１構造の入賞装置ユニット１９０を適用して遊技盤ユニット８を構成した場合、パチンコ機１において以下の遊技性が実現される。
（１）可変始動入賞装置２８の作動頻度が相対的に低く設定された通常状態では、遊技領域８ａの左側部分に遊技球を打ち込む「左打ち」を遊技者が行うことにより、球振り分け装置２００による振り分け動作を経て可変始動入賞装置２８に遊技球を入球させることができる。なお、右側の始動入賞口についても、球振り分け装置２００による振り分け動作を経て遊技球を入球させることができる。
（２）可変始動入賞装置２８の作動頻度が通常状態に比較して高く設定された時間短縮機能作動状態においても、遊技者が主に「左打ち」することにより、球振り分け装置２００による振り分け動作を経て可変始動入賞装置２８への入球が発生するほか、球振り分け装置２００の左側からも可変始動入賞装置２８への入球が発生する。なお、右側の始動入賞口については、通常状態と同様に球振り分け装置２００による振り分け動作を経て遊技球を入球させることができる。
【００８４】
以上より、第１構造の入賞装置ユニット１９０を適用すると、図３中に矢印で示されているように、常時「左打ち」を中心とした遊技性のパチンコ機１を実現することができる。
【００８５】
〔第２構造の適用例〕
図７は、第２構造の入賞装置ユニット２９０が適用された遊技盤ユニット８を単独で示した正面図である。以下、第１構造の入賞装置ユニット１９０を適用した場合との相違点を中心として説明する。
【００８６】
第２構造の入賞装置ユニット２９０は、可変始動入賞装置２８が前面側からみて右側に設置されている点が第１構造との大きな違いである。この場合、球振り分け装置２００による球振り分け動作を経て右側の可変始動入賞装置２８に遊技球を入球させることができるが、可変始動入賞装置２８の作動時（開放状態）には、遊技領域８ａの右側部分からの入球が容易化されることになる。したがって、第２構造の入賞装置ユニット２９０を適用した場合、図７中の矢印で示されるように、遊技領域８ａの左側部分に遊技球を打ち込む「左打ち」の他に、右側部分に遊技球を打ち込む「右打ち」が有効となる。このため、図７に示される遊技盤ユニット８の構成では、遊技領域８ａの右側部分に始動ゲート２０が設置されている他、可変入賞装置３０も遊技領域８ａの右側部分に設置されている。また、１つの普通入賞口２４が遊技領域８ａの右側部分に設置されている。
【００８７】
〔その他の相違点〕
また、図７に示される遊技盤ユニット８では、可変入賞装置３０の形態が図３の場合と異なっている。すなわち、図７に示される遊技盤ユニット８において、可変入賞装置３０は、例えば１つの開閉部材３０ａを有している。この開閉部材３０ａは、例えば図示しないソレノイドを用いたリンク機構の働きにより、盤面に対して前後方向に往復動作する。図示のように盤面に沿った状態で開閉部材３０ａは閉位置（閉鎖状態又は閉止状態）にあり、このとき大入賞口への入賞は常に不能（大入賞口は閉塞中）である。可変入賞装置３０が作動すると、開閉部材３０ａがその下端縁部分をヒンジとして前方へ倒れ込むようにして変位し、大入賞口を開放する（開放状態）。この間に可変入賞装置３０は遊技球の流入が不能ではない状態となり、大入賞口への入球（入賞）を発生させることができる。なお、このとき開閉部材３０ａは大入賞口への遊技球の流入を案内する部材としても機能する。また、可変入賞装置３０の作動時（主に大当り遊技中）は、「右打ち」することで大入賞口への入球（入賞）が可能となる。
【００８８】
また、演出ユニット４０については、内側の装飾部品４０ｂ，４０ｃ，４０ｋ，４０ｍ等の形態が異なっている。これら装飾部品４０ｂ，４０ｃ，４０ｋ，４０ｍの形態の違いに基づき、図７に示される遊技盤ユニット８の印象が図３の場合と大きく異なっている。また、転動ステージ４０ｅは例えば上下２段に形成されており、このうち上段が遊技者からみて奥に位置し、下段が遊技者からみて手前に位置する。上下２段とも、それぞれ転動ステージ４０ｅの上面は滑らかな湾曲面を有しており、ここでは遊技球が左右方向に転動自在である。転動ステージ４０ｅ上で転動した遊技球は、やがてその下段から下方の遊技領域８ａ内に流下する。転動ステージ４０ｅの略中央位置に流入通路４０ｇが形成されている点は同じであるが、この流入通路４０ｇには上段の転動ステージ４０ｅから遊技球が無作為に流入し得る。
【００８９】
その他に演出ユニット４０には、演出用の可動体４０ｆ（例えばハート形の装飾物）とともに図示しない駆動源（例えばモータ、ソレノイド等）が付属している。演出用の可動体４０ｆは、液晶表示器４２による画像を用いた演出や発光器による演出に加えて、有形物の動作を伴う演出を実行することができる。このような可動体４０ｆを用いた演出により、二次元の画像を用いた演出とは別の訴求力を発揮することができる。なお、図７に示される遊技盤ユニット８の場合、演出ユニット４０に大型回転ランプ４１は設置されていない。
【００９０】
〔入賞装置ユニットの構成（第２構造）〕
図８及び図９は、第２構造の入賞装置ユニット２９０の構成を詳細に示す分解斜視図である。このうち図８は、入賞装置ユニット２９０を斜め上前方から示し、図９は入賞装置ユニット２９０を斜め上後方から示している。以下、第１構造との違いを中心として説明する。また、第１構造と共通する構成については同じ符号を付し、その重複した説明を適宜省略する。
【００９１】
第２構造の入賞装置ユニット２９０では、前面側からみて右側に位置する１組の円弧状孔１９４及びヒンジピン２８ｄを選択的に用いて一対の可動片２８ｂが設置されており、裏面側では対応する側（前面側からみて右側）に位置する１組の設置用ボス１９２ａを用いてソレノイド８８等の駆動機構が設置されている点が第１構造と異なっている。そして、第２構造の入賞装置ユニット２９０を構成する場合、始動入賞口ユニット３００には第２形態の前面側部材３２２が適用されるものとなっている。以下、第２形態の前面側部材３２２について説明する。
【００９２】
〔第２形態の前面側部材〕
前面側部材３２２もまた、左右一対の球通過孔１９６を覆う状態でベース部材１９２の前面側に設置される点は第１形態と同じである。ただし、第２形態の前面側部材３２２は、前面側からみて右側の球通過孔１９６に対応する円弧状孔１９４及びピン穴１９５の組との間で一対の可動片２８ｂを支持し、左側の球通過孔１９６に対応する位置に上記の固定片３０２ａを有する構造となっている点が異なっている。なお、可動片受け部３０２ｂや球受け部３０２ｃ、球誘導リブ３０２ｄ等については、第１形態の場合と配置は異なっているが、個々の構造は共通である（第１形態と左右対称）。
【００９３】
〔その他の構成〕
左右の始動入賞口スイッチ８０，８２は、第１構造から特に配置を変更していない。なお、裏カバー３０４，３０６については、前面側からみて左側に裏カバー３０６を設置し、ソレノイド８８等の駆動機構が位置する右側に裏カバー３０４を設置することで、リンクアーム８８２との干渉を防止している。
【００９４】
〔第２構造のまとめ〕
以上のように第２構造の入賞装置ユニット２９０では、予め選択された第２形態の前面側部材３２２をベース部材１９２に取り付けることで、第１構造とは反対に右側の球通過孔１９６を可変始動入賞装置２８に対応させるとともに、左側の球通過孔１９６を始動入賞口に対応させて使用することができる。
【００９５】
このような第２構造の入賞装置ユニット２９０を適用して遊技盤ユニット８を構成した場合、パチンコ機１において以下の遊技性が実現される。
（１）可変始動入賞装置２８の作動頻度が相対的に低く設定された通常状態では、遊技領域８ａの左側部分に遊技球を打ち込む「左打ち」を遊技者が行うことにより、球振り分け装置２００による振り分け動作を経て可変始動入賞装置２８に遊技球を入球させることができる。なお、右側の始動入賞口についても、球振り分け装置２００による振り分け動作を経て遊技球を入球させることができる。
（２）可変始動入賞装置２８の作動頻度が通常状態に比較して高く設定された時間短縮機能作動状態に移行した場合、遊技者が主に「右打ち」することにより、通過ゲート２０の通過を契機として高い頻度で可変始動入賞装置２８が作動する。これにより、球振り分け装置２００の右側から可変始動入賞装置２８への入球が発生しやすくなる。この場合でも、球振り分け装置２００による振り分け動作を経て可変始動入賞装置２８への入球は発生する。また、左側の始動入賞口についても、「右打ち」された遊技球が球振り分け装置２００による振り分け動作を経て遊技球を入球させることができる。
【００９６】
以上より、第２構造の入賞装置ユニット２９０を適用すると、図７中に矢印で示されているように、通常状態では「左打ち」を中心とした遊技性であるが、変動時間短縮機能作動状態（高確・時短中）では「右打ち」を中心とした遊技性のパチンコ機１を実現することができる。
【００９７】
〔第３構造の適用例〕
図１０は、第３構造の入賞装置ユニット３９０が適用された遊技盤ユニット８を単独で示した正面図である。この場合、遊技盤ユニット８の構成には、第２構造の入賞装置ユニット２９０を適用した場合（図７）との共通点が多い。このため以下では、第２構造の入賞装置ユニット２９０を適用した場合との相違点を中心として説明する。
【００９８】
第３構造の入賞装置ユニット３９０は、可変始動入賞装置２８が設置されておらず、前面側からみて左右両側にそれぞれ一対の固定片３０２ａが設置されている点が第１構造及び第２構造との大きな違いである。この場合、可変始動入賞装置２８は遊技領域８ａの右側部分に設置されており、入賞装置ユニット３９０とは分離されている。したがって、球振り分け装置２００による球振り分け動作は可変始動入賞装置２８への入球に影響せず、球振り分け装置２００は、純粋に左右の始動入賞口（左右両側でそれぞれ一対をなす固定片３０２ａの上方に位置する）への入球を振り分けるものとなる。
【００９９】
なお、第３構造の入賞装置ユニット３９０を適用した場合でも、遊技領域８ａの右側部分に可変始動入賞装置２８が設置されているため、「左打ち」の他に「右打ち」が有効となる。
【０１００】
〔入賞装置ユニットの構成（第３構造）〕
図１１及び図１２は、第３構造の入賞装置ユニット３９０の構成を詳細に示す分解斜視図である。このうち図１１は、入賞装置ユニット３９０を斜め上前方から示し、図１２は入賞装置ユニット３９０を斜め上後方から示している。以下、第１，第２構造との違いを中心として説明する。また、第１，第２構造と共通する構成については同じ符号を付し、その重複した説明を適宜省略する。
【０１０１】
第３構造の入賞装置ユニット３９０には、上記のように一対の可動片２８ｂは設置されておらず、ソレノイド８８を含む駆動機構も設置されていない。このような第３構造の入賞装置ユニット３９０を構成する場合、始動入賞口ユニット３００には代替前面側部材３３２が適用される。以下、代替前面側部材３３２について説明する。
【０１０２】
〔代替前面側部材〕
代替前面側部材３３２は、上述した第１，第２形態の前面側部材３０２，３２２と同様に、左右一対の球通過孔１９６を覆う状態でベース部材１９２の前面側に設置される。ただし、代替前面側部材３３２は、左右両側の球通過孔１９６に対応する位置にそれぞれ一対の固定片３０２ａを有する構造となっている点が大きく異なっている。したがって、代替前面側部材３３２には、可動片受け部３０２ｂや球受け部３０２ｃが形成されていない。また、球誘導リブ３０２ｄは、左右両側の固定片３０２ａに対してそれぞれ形成されている。
【０１０３】
〔その他の構成〕
左右の始動入賞口スイッチ８０，８２は、上述した第１，第２構造から特に配置を変更されていない。また、裏カバー３０４，３０６については、第１構造と同様に配置されている。なお、第３構造ではリンクアーム８８２との干渉を考慮しなくてよいため、左右両側を同一構造の裏カバー３０６としてもよい。ただし、敢えて第１構造と同様に裏カバー３０４，３０６を配置することで、構造別に裏カバー３０４，３０６の組み合わせを異ならせる必要がない。したがって、構造によって部品の過不足が生じることがなく、また、構造別に部品点数を細かく調整する手間を省略できるという利点がある。
【０１０４】
〔第３構造のまとめ〕
以上のように第３構造の入賞装置ユニット３９０では、これまでの第１，第２形態の前面側部材３０２，３２２に代えて、代替前面側部材３３２をベース部材１９２に取り付けることで、第１，第２構造とは異なり、左右両側の球通過孔１９６を始動入賞口に対応させて使用することができる。この場合、可変始動入賞装置２８は入賞装置ユニット３９０と別に設置されることが前提となる。
【０１０５】
このような第３構造の入賞装置ユニット３９０を適用して遊技盤ユニット８を構成した場合、パチンコ機１において以下の遊技性が実現される。
（１）可変始動入賞装置２８の作動頻度が相対的に低く設定された通常状態では、遊技領域８ａの左側部分に遊技球を打ち込む「左打ち」を遊技者が行うことにより、球振り分け装置２００による振り分け動作を経て、左右両側の始動入賞口に対して交互に入球が発生する。この場合でも、第１特別図柄と第２特別図柄とを交互に変動させることができる。
（２）可変始動入賞装置２８の作動頻度が通常状態に比較して高く設定された時間短縮機能作動状態に移行した場合、遊技者が主に「右打ち」することにより、通過ゲート２０の通過を契機として高い頻度で可変始動入賞装置２８が作動する。これにより、遊技領域８ａの右側部分で可変始動入賞装置２８への入球が発生しやすくなる。また、「右打ち」された遊技球が球振り分け装置２００に入球することで、球振り分け装置２００による振り分け動作を経て左右両側の始動入賞口への入球は可能であるし、入賞装置ユニット３９０の右側から流下してきた遊技球が無作為に左右両側の始動入賞口に流入することは可能である。
【０１０６】
以上より、第３構造の入賞装置ユニット３９０を適用した場合、図１０中に矢印で示されているように、通常状態では「左打ち」を中心とした遊技性であるが、変動時間短縮機能作動状態（高確・時短中）では「右打ち」を中心とした遊技性のパチンコ機１を実現することができる。
【０１０７】
〔球振り分け装置の構成〕
次に、球振り分け装置２００の構成について説明する。上記のように球振り分け装置２００は、第１〜第３構造の入賞装置ユニット１９０，２９０，３９０のいずれについても共通の構成とすることができる。以下では、第１構造の入賞装置ユニット１９０を例に挙げて球振り分け装置２００の構成を説明するものとする。
【０１０８】
図１３は、球振り分け装置２００を単独で示す正面図（Ａ）及び部分断面図（Ｂ）である。なお、図１３及び以降に挙げる図面では煩雑化を防止するため、球振り分け装置２００の説明に関係しない部位の参照符号について適宜その図示を省略している。
【０１０９】
球振り分け装置２００は、上記のようにフロントパーツ２００ａ及びリヤパーツ２００ｂを有しており、これら２つのパーツ２００ａ，２００ｂが球振り分け装置２００の本体部分（装置本体）を主に構成している。なお、リヤパーツ２００ｂは正面視で表出しておらず、図１３にはリヤパーツ２００ｂが示されていない。
【０１１０】
球振り分け装置２００は、その一部の構成要素としてベース部材１９２を利用している。すなわち、上記のようにフロントパーツ２００ａはベース部材１９２の前面に取り付けられ、この状態でフロントパーツ２００ａ及びベース部材１９２の上部位置に流入口２０２が形成されている。なお、流入口２０２は遊技領域８ａ内で上向きに開口しており、流入口２０２には上方から流下してきた遊技球が流入する。
【０１１１】
また、球振り分け装置２００には、１つの流入口２０２に対して２つの出口（第１放出口２０４及び第２放出口２０３）が形成されている。流入口２０２に流入した遊技球は、球振り分け装置２００の内部で流下経路が二手に振り分けられ、第１放出口２０４又は第２放出口２０３のいずれかへと導かれる。第１放出口２０４及び第２放出口２０３は、フロントパーツ２００ａの内側でいずれも前面に向けて開放している。すなわち、これら第１放出口２０４及び第２放出口２０３の各開口面は、遊技板８ｂの前面（盤面）と平行に配置されている。
【０１１２】
前面に開口した第１放出口２０４及び第２放出口２０３を形成するため、球振り分け装置２００には、正面視で縦型の整流誘導路２０８，２０９が形成されている。これら整流誘導路２０８，２０９は、振分誘導路２０１の両端にそれぞれ連なり、そこからリヤパーツ２００ｂの裏面側へ向けて屈曲されている。そして各整流誘導路２０８，２０９は、リヤパーツ２００ｂの裏面側で下方に潜り込み、さらにその前面側へ折り返すようにして反転（Ｕターン）している。そして第１放出口２０４及び第２放出口２０３は、各整流誘導路２０８，２０９が反転した終端（開放端）に位置している。なお、整流誘導路２０８，２０９は、ベース部材１９２の裏面側でリヤパーツ２００ｂの内部に形成されている。また、リヤパーツ２００ｂを含めてフロントパーツ２００ａ及びベース部材１９２には透明樹脂材料が使用されており、これにより、球振り分け装置２００内部での遊技球の視認性が確保されている。
【０１１３】
遊技球の振り分け動作を行うため、フロントパーツ２００ａの内部には、流入口２０２の真下位置に風車型の回転体２０５が配置されている。回転体２０５は、その中心軸から放射状に延びた３つの羽部材２０５ａ，２０５ｂ，２０５ｃを有している。回転体２０５は、電気的又はその他の動力による動作を行うものではなく、遊技球が羽部材２０５ａ，２０５ｂ，２０５ｃに衝突することにより回転する。
【０１１４】
また、フロントパーツ２００ａの内部で回転体２０５の下方位置には、盤面に沿って左右両側に下り傾斜して延びる振分誘導路２０１が形成されている。振分誘導路２０１の中央位置には、回転体２０５の回転を規制する２つの突起部２０６ａ，２０６ｂが設けられている。そして、これら突起部２０６ａ，２０６ｂに羽部材２０５ａ，２０５ｂが接触することにより、回転体２０５の回転が規制されるものとなっている。
【０１１５】
〔左右の始動入賞口〕
ここで、入賞装置ユニット１９０には、球振り分け装置２００と始動入賞口ユニット３００との間に右始動入賞口２６及び左始動入賞口２８ａが形成されている。すなわち、ベース部材１９２には、その前面に突出した４本のスタッド部材１９８が形成されている。これらスタッド部材１９８は、球振り分け装置２００の第１放出口２０４及び第２放出口２０３の直下位置にて、それぞれ２本で１組をなしている。また、各組をなす２本のスタッド部材１９８は、互いに一定間隔をおいて幅方向に配列されている。各スタッド部材１９８は横向き台形状の断面を有しており、図示の例では、各組をなす２本のスタッド部材１９８が互いに台形の下底辺に相当する部位を向かい合わせにして配置されている。この状態で、各組をなす２本のスタッド部材１９８の間に遊技球の入口、つまり、右始動入賞口２６及び左始動入賞口２８ａが形成されている。
【０１１６】
このうち、右始動入賞口２６に入球した遊技球は、そのまま一対の固定片３０２ａの間に流入し、上記のように右側の球通過孔１９６を通過して右始動入賞口スイッチ８０により検出される。そして、右始動入賞口スイッチ８０による入賞検出信号が有効に処理されると、右始動入賞口２６での入賞が発生したことになり、遊技制御上で例えば第１特別図柄に対応する作動記憶が上限数（例えば４個）の範囲内で行われる。なお、このような遊技制御を行うのは主制御基板ユニット１７０に実装された主制御ＣＰＵ（図示していない）である。
【０１１７】
また、左始動入賞口２８ａに入球した遊技球は、可変始動入賞装置２８の非作動時において一対の可動片２８ｂの間に流入し、上記のように左側の球通過孔１９６を通過して左始動入賞口スイッチ８２により検出される。可変始動入賞装置２８の作動時には、上記のように一対の可動片２８ｂが開放位置に変位した状態となる。この状態では、２本のスタッド部材１９８の間ではなく、一対の可動片２８ｂの先端同士の間が左始動入賞口２８ａとなり、その開口幅が拡大される。この場合も同様に、左始動入賞口２８ａに入球（一対の可動片２８ｂの間に流入）した遊技球は左側の球通過孔１９６を通過する。いずれにしても、左始動入賞口スイッチ８２による入賞検出信号が有効に処理されると、左始動入賞口２８ａでの入賞が発生したことになり、遊技制御上で例えば第２特別図柄に対応する作動記憶が上限数（例えば４個）の範囲内で行われる。このような遊技制御を行うのも上記の主制御ＣＰＵ（図示していない）である。
【０１１８】
図１４及び図１５は、球振り分け装置２００の構成をより詳細に示す分解斜視図である。このうち図１４は球振り分け装置２００を斜め上前方から示し、図１５は球振り分け装置２００を斜め上後方から示している。
【０１１９】
上記のように球振り分け装置２００は、その装置本体を構成するフロントパーツ２００ａ及びリヤパーツ２００ｂを有しており、これら２つのパーツ２００ａ，２００ｂは、ベース部材１９２を挟んで前後方向（図中Ｚ軸方向）に組み合わせられる。入賞装置ユニット１９０全体が遊技板８ｂ（図１４，図１５には示されない）に取り付けられると、ベース部材１９２は遊技板８ｂに形成された開口（同じく図示されていない）を覆う状態で設置される。また、ベース部材１９２は、その大部分が上記の開口に嵌め込まれている。なお、ベース部材１９２は、遊技板８ｂに取り付けられた状態でその全体が盤面に沿って広がり、盤面の一部を装飾する部品となる。
【０１２０】
回転体２０５は、フロントパーツ２００ａとベース部材１９２との間に挟み込まれるようにして配置され、フロントパーツ２００ａとベース部材１９２により支持ピン２０５ｇを介して回転自在に支持される。回転体２０５には、例えば１つの羽部材２０５ｃにリンクロッド２０５ｄが形成されており、このリンクロッド２０５ｄは、回転体２０５の回転軸線に沿ってベース部材１９２の裏面側へ突出している。これに対してベース部材１９２には挿通孔２００ｅが形成されており、フロントパーツ２００ａ及びベース部材１９２に回転体２０５が支持された状態で、リンクロッド２０５ｄは挿通孔２００ｅ内に挿入されるものとなっている。
【０１２１】
また、球振り分け装置２００は回転体２０５の節度機構を有しており、節度機構は上記のリンクロッド２０５ｄの他に、梃子部材２０５ｅ及びカウンタウエイト２０５ｆを組み合わせて構成されている。なお、リヤパーツ２００ｂの内部は２枚の仕切壁２００ｈで３室に区分けされており、節度機構を構成する部品は２枚の仕切壁２００ｈの間に収容されるものとなっている。
【０１２２】
上記の梃子部材２０５ｅは、ベース部材１９２及びリヤパーツ２００ｂにそれぞれピン接合された状態で、例えば回転体２０５と同じ回転軸線上にてピン２０５ｈにより回転自在に支持される。このとき回転体２０５のリンクロッド２０５ｄが挿通孔２００ｅを通じて裏面側に突出し、その突出端にて梃子部材２０５ｅの一端部（短アーム）に接合されるものとなっている。梃子部材２０５ｅの他端部（長アーム）には、その長手方向に沿って長孔（参照符号なし）が形成されており、この長孔内にカウンタウエイト２０５ｆの自由端がスライダ接合されるものとなっている。カウンタウエイト２０５ｆもまたベース部材１９２及びリヤパーツ２００ｂにそれぞれピン接合され、その下端ピン２０５ｋを軸線として回転自在に支持される。なお、図１５に示されているように、ベース部材１９２の裏面には、上記のピン２０５ｈ及び下端ピン２０５ｋを嵌め込むボス部（参照符号なし）が一体に形成されている。
【０１２３】
上記の節度機構は、回転体２０５が時計回り又は反時計回りのいずれかに回転し、羽部材２０５ａ，２０５ｂのいずれかが突起部２０６ａ，２０６ｂに接触して回転が規制されると、この状態で回転体２０５に節度を付与（姿勢を保持）することができる。具体的には、回転体２０５の回転が規制されると、梃子部材２０５ｅが左右いずれかに傾斜した姿勢となるが、このときカウンタウエイト２０５ｆによって梃子部材２０５ｅが中立姿勢（直立姿勢）に復元しようとする動きが抑えられる。これにより、回転体２０５は遊技球３００を振り分けた後の姿勢に保持されることになる。
【０１２４】
なお、節度機構による回転体２０５の姿勢の保持は、突起部２０６ａ，２０６ｂと接触していない方の羽部材２０５ａ，２０５ｂに対して遊技球３００の荷重が加わると解除される。すなわち節度機構は、遊技球３００の荷重に抗してまで回転体２０５の姿勢を保持することはないため、その振り分け動作が阻害されることはない。
【０１２５】
図１４に示されているように、リヤパーツ２００ｂの内部は中空をなしている。リヤパーツ２００ｂは、その中空の内部が２枚の仕切壁２００ｈで３室に仕切られることにより、各仕切壁２００ｈの外側に位置する２つの室が整流誘導路２０８，２０９として形成されている。また、ベース部材１９２には、整流誘導路２０８，２０９にそれぞれ対向する位置に縦長の貫通孔１９２ａが２つ形成されている。リヤパーツ２００ｂがベース部材１９２に取り付けられると、２つの貫通孔１９２ａがそれぞれ対向する整流誘導路２０８，２０９の開口縁に重なり合う。
【０１２６】
また、図１５に示されているように、フロントパーツ２００ａには整流誘導路２０８，２０９にそれぞれ相対して一対の傾斜板２０１ａが形成されている。フロントパーツ２００ａがベース部材１９２に組み合わされると、各傾斜板２０１ａの先端部分はそれぞれ、貫通孔１９２ａを通じて対向する整流誘導路２０８，２０９の内部に張り出した状態となる。
【０１２７】
各傾斜板２０１ａは、振分誘導路２０１の左右両端に連なって形成されている。振分誘導路２０１は、中央位置から左右両端の方向に向かって下り傾斜し、それぞれ終端に段差が設けられている。そして各傾斜板２０１ａは、振分誘導路２０１の左右両端より一段下がった位置からベース部材１９２の裏面側（後方：図中Ｚ軸方向）に向かって下り傾斜している。
【０１２８】
また、図１５に示されているように、フロントパーツ２００ａの内部には、振分誘導路２０１の左右両端に対して、各傾斜板２０１ａが連なる隅角部にコーナーリブ２０１ｂが形成されている。コーナーリブ２０１ｂは隅角部に沿う円弧形状をなしており、その円弧面にて遊技球の方向変換を案内することができる。
【０１２９】
〔遊技球の流下態様〕
図１６は、球振り分け装置２００における遊技球の流下態様を示す斜視図である。なお図１６では煩雑化を防止するため、外観上で表出していない構成要素については図示を省略している。
【０１３０】
図１６中（Ａ）：例えば、回転体２０５の羽部材２０５ａが突起部２０６ａに接触した姿勢にあり、この状態で流入口２０２を通じて遊技球が球振り分け装置２００に流入すると、回転体２０５が正面視で時計回り方向に回転し、遊技球は正面視で振分誘導路２０１の右方向に誘導される。そして、遊技球が振分誘導路２０１の右終端から段差を介して傾斜板２０１ａ上に転動すると、コーナーリブ２０１ｂに案内されて遊技盤８の奧方向へ転動する。そして、遊技球は傾斜板２０１ａの下り傾斜によって整流誘導路２０９内に進入し、盤面に対して直交する軸線（図中Ｚ軸線）に沿ってＵターン（反転）すると、第１放出口２０４を通じて前方へ放出される。
【０１３１】
図１６中（Ｂ）：あるいは、回転体２０５の羽部材２０５ｂが突起部２０６ｂに接触した姿勢にあり、この状態で流入口２０２を通じて遊技球が球振り分け装置２００に流入すると、今度は回転体２０５が正面視で反時計回り方向に回転し、遊技球は正面視で振分誘導路２０１の左方向へ誘導される。そして、遊技球が振分誘導路２０１の左終端から段差を介して傾斜板２０１ａ上に転動すると、コーナーリブ２０１ｂに案内されて遊技盤８の奧方向に転動する。そして、遊技球は傾斜板２０１ａの下り傾斜によって整流誘導路２０８内に進入し、盤面に対して直交する軸線（図中Ｚ軸線）に沿ってＵターン（反転）すると、第２放出口２０３を通じて前方へ放出される。
【０１３２】
上記いずれの場合についても、遊技球の荷重によって節度機構による回転体２０５の姿勢保持は解除される。また、遊技球を振り分けたことで回転体２０５の回転が規制されると、節度機構が働いて回転体２０５の姿勢が保持される。
【０１３３】
図１７及び図１８は、球振り分け装置２００の動作原理について説明する図である。このうち図１７は右始動入賞口２６への入球（入賞）を促進する態様で遊技球が振り分けられる場合の状態を示しており、図１８は左始動入賞口２８ａへの入球（入賞）を促進する態様で遊技球が振り分けられる場合の状態を示している。
【０１３４】
〔右始動入賞口２６側への振り分け〕
図１７中（Ａ）：例えば最初の状態で、回転体２０５の羽部材２０５ａが左側の突起部２０６ａと接触している状態を想定する。このとき回転体２０５には、節度機構による姿勢保持が作用している。
【０１３５】
この状態で遊技球が流入口２０２に流入すると、回転体２０５における羽部材２０５ｂと羽部材２０５ｃとの間に遊技球が入り込み、遊技球の重みによって節度機構が解除され、回転体２０５は右回り（時計回り）に回転する。
【０１３６】
そして、図１７中（Ｂ）に示すように、回転体２０５が右回りに回転することにより、遊技球が振分誘導路２０１の右方向へ誘導される。そして、遊技球が右側の傾斜板２０１ａに達した所でコーナーリブ２０１ｂにより転動方向を奥側へ変換されると、遊技球は傾斜板２０１ａの傾斜に沿って右側の整流誘導路２０９に流下する。そして、遊技球は整流誘導路２０９に案内されて方向変換し、第１放出口２０４から前面側へ放出される。これにより、遊技球が右始動入賞口２６側へ振り分けられることになる。このとき回転体２０５の羽部材２０５ｂは、右側の突起部２０６ｂに接触することにより、そこで回転体２０５の回転が規制される。そして、次に流入してきた遊技球の荷重を受けるまでは、回転体２０５の姿勢が節度機構により保持される。
【０１３７】
より好ましくは、整流誘導路２０８，２０９内にはそれぞれＵターンリブ２００ｆが形成されており、このＵターンリブ２００ｆは、整流誘導路２０８，２０９の上面から奥側の壁面、及び底面に至る領域内に形成されている。Ｕターンリブ２００ｆは全体としてＵ字形状をなし、その湾曲した円弧面に沿って遊技球のスムーズな流下を案内する。
【０１３８】
上記のように、第１放出口２０４は前面に向けて開口しており、この開口の下端縁（Ｕターンリブ２００ｆのエッジ）から右側で２本１組のスタッド部材１９８の上端（右始動入賞口２６）までの距離Ｄは、例えば遊技球の直径より大きく設定されていてもよいし、遊技球の直径より小さく設定されていてもよい。いずれにしても、第１放出口２０４から遊技領域８ａ（図１７には示さず）に再放出された遊技球は、無作為な流下に伴って右始動入賞口２６に入球する場合もあるし、スタッド部材１９８に弾かれて右始動入賞口２６に入球しない場合もある。また、フロントパーツ２００ａの両端部における下面とスタッド部材１９８の傾斜した上面との間隔Ｓは、遊技球の直径より大きく設定されている。このため、遊技領域８ａ内の障害釘の状態によっては球振り分け装置２００を経由することなく、その周辺から間隔Ｓ内を通って右始動入賞口２６に入球する遊技球もある。
【０１３９】
〔左始動入賞口２８ａ側への振り分け〕
図１８中（Ａ）：次に、回転体２０５の羽部材２０５ｂが右側の突起部２０６ｂと接触している状態を想定する。このときも同様に、回転体２０５には節度機構による姿勢保持が作用している。
【０１４０】
この状態で遊技球が流入口２０２に流入すると、回転体２０５における羽部材２０５ａと羽部材２０５ｃとの間に遊技球が入り込み、遊技球の重みによって節度機構が解除され、回転体２０５は左回り（反時計回り）に回転する。
【０１４１】
そして、図１８中（Ｂ）に示すように、回転体２０５が左回りに回転することにより、遊技球が振分誘導路２０１の左方向へ誘導される。そして、遊技球が左側の傾斜板２０１ａに達した所でコーナーリブ２０１ｂにより転動方向を奥側へ変換されると、遊技球は傾斜板２０１ａの傾斜に沿って左側の整流誘導路２０８に流下する。そして、遊技球は整流誘導路２０８内でＵターンリブ２００ｆに案内されて方向変換し、第２放出口２０３から前面側へ放出される。これにより、遊技球が左始動入賞口２８ａ側へ振り分けられることになる。このとき回転体２０５の羽部材２０５ａは、左側の突起部２０６ａに接触することにより、そこで回転体２０５の回転が規制される。そして、次に流入してきた遊技球の荷重を受けるまでは、回転体２０５の姿勢が節度機構により保持される。
【０１４２】
第２放出口２０３もまた前面に向けて開口しており、この開口の下端縁（Ｕターンリブ２００ｆのエッジ）から左側で２本１組のスタッド部材１９８の上端（左始動入賞口２８ａ）までの距離Ｄは、同じく遊技球の直径より大きく設定されていてもよいし、遊技球の直径より小さく設定されていてもよい。いずれにしても、第２放出口２０３から遊技領域８ａ（図１８には示さず）に再放出された遊技球は、無作為な流下に伴って左始動入賞口２８ａに入球する場合もあるし、スタッド部材１９８に弾かれて左始動入賞口２８ａに入球しない場合もある。ここでも同様に、フロントパーツ２００ａの両端部における下面とスタッド部材１９８の傾斜した上面との間隔Ｓは、遊技球の直径より大きく設定されているため、遊技領域８ａ内の障害釘の状態によっては、球振り分け装置２００を経由することなく、その周辺から間隔Ｓ内を通って左始動入賞口２８ａに入球する遊技球もある。
【０１４３】
図１９は、球振り分け装置２００の内部構造を示す縦断面図（図１８中のＸＩＸ−ＸＩＸ線に沿う断面図）である。なお、ここでは左側の整流誘導路２０８を例に挙げているが、右側の整流誘導路２０９についても構造は同じである。
【０１４４】
上記のように、遊技板８ｂには厚み方向に貫通した開口８ｃが形成されており、リヤパーツ２００ｂは全体的に開口８ｃ内に嵌め込まれている。このため整流誘導路２０８は、遊技板８ｂの内部（肉厚部分）を盤面より裏面側へ延び、この位置で下方へ屈曲された後に盤面の前面側へ折り返すようにして延びている。なお図１９には、Ｕターンリブ２００ｆの側面視形状が示されている。
【０１４５】
また第２放出口２０３は、前後方向（図中Ｚ軸方向）でみて盤面とほぼ同じ位置（ベース部材１９２の厚み分後方）にて開口しており、その開口面は盤面と平行であることが分かる。
【０１４６】
〔遊技球の整流作用〕
球振り分け装置２００によれば、遊技球の流下に対して以下の誘導や整流が行われる。
（１）先ず、流入口２０２を通じて流入した遊技球を回転体２０５及び振分誘導路２０１により盤面に沿って左右いずれかの方向へ交互に振り分ける。
（２）次に、振分誘導路２０１の左右両端では、それぞれコーナーリブ２０１ｂ及び傾斜板２０１ａにより盤面に対して直交する軸線（図中Ｚ軸線）に沿って奥側へ遊技球の転動方向を変換する。
（３）左右の整流誘導路２０８，２０９内では、盤面より奧の位置でその軸線（図中Ｚ軸線）に沿って遊技球をＵターンさせる。このとき遊技球は、盤面の奧で下方に潜り込むようにして反転する。
（４）Ｕターンされた遊技球は、前面に向けて開放した第１放出口２０４又は第２放出口２０３を通じて遊技領域８ａ内に再度放出される。
【０１４７】
上記（２）から（３）の過程を通じて、遊技球の流下の態様は左右方向から上下方向へ整えられており、上記（１）で与えられた左右方向への勢いが殺される（整流作用）。これにより、第１放出口２０４又は第２放出口２０３から放出された遊技球の流下方向がほとんど下向きで安定し、左右方向に暴れにくくなるため、放出された遊技球を右始動入賞口２６又は左始動入賞口２８ａへ高頻度で入球（入賞）させやすくすることができる。
【０１４８】
これにより、流入口２０２に遊技球が流入したことに起因して、右始動入賞口２６での入賞及び左始動入賞口２８ａでの入賞が比較的高頻度で交互に発生することを促進することができる。ただし、球振り分け装置２００は右始動入賞口２６で発生し得る無作為な入賞と、可変始動入賞装置２８（右始動入賞口２６）で発生し得る無作為な入賞とを交互に促進するものであり、必ず交互に入賞させる態様で振り分け動作を行うものではない。
【０１４９】
すなわち、球振り分け装置２００による第１放出口２０４からの遊技球の放出は、右始動入賞口２６での無作為な入球（入賞）が発生する機会を付与する動作である。また、球振り分け装置２００による第２放出口２０３からの遊技球の放出は、左始動入賞口２８ａでの無作為な入球（入賞）が発生する機会を付与する動作である。そして、右始動入賞口２６や左始動入賞口２８ａでは、球振り分け装置２００による振り分けの動作とは無関係にそれぞれ遊技領域８ａ内からの入球（入賞）が無作為に発生し得るため、右始動入賞口２６での入球（入賞）の発生が連続することもあり得るし、左始動入賞口２８ａでの入球（入賞）の発生が連続することもあり得る。
【０１５０】
〔球振り分け装置の特性〕
このように、球振り分け装置２００は、右始動入賞口２６及び左始動入賞口２８ａに対して必ず交互に入球（入賞）を発生させるものではなく、あくまで無作為に入球（入賞）が発生する機会を交互に付与するものである。したがって、球振り分け装置２００の流入口２０２に遊技球が流入しても、その時点で直ちに「入賞球」には該当せず、流入口２０２は「入賞口」に該当しない。
【０１５１】
このため、本実施形態ではあくまで右始動入賞口２６や左始動入賞口２８ａがそれぞれ「入賞口」となり、たとえ球振り分け装置２００を経由して遊技球が右始動入賞口２６に入賞した場合であっても、球振り分け装置２００への流入ではなく、あくまで右始動入賞口２６への入賞の発生を契機として第１特別図柄に対応する抽選用乱数を取得すればよい。また、球振り分け装置２００を経由して遊技球が左始動入賞口２８ａに入賞した場合であっても、同じく球振り分け装置２００への流入ではなく、あくまで左始動入賞口２８ａへの入賞の発生を契機として第２特別図柄に対応する抽選用乱数を取得すればよい。
【０１５２】
これにより、球振り分け装置２００内に入賞検出用の右始動入賞口スイッチ８０や左始動入賞口スイッチ８２をわざわざ組み込む必要がなく、球振り分け装置２００の構造を簡素化することができる。
【０１５３】
〔可変始動入賞装置の作動時〕
図２０は、可変始動入賞装置２８の作動時における入賞装置ユニット１９０の状態を示した正面図（Ａ）及び部分断面図（Ｂ）である。
【０１５４】
図２０中（Ａ）：可変始動入賞装置２８が作動すると、上記のように一対の可動片２８ｂが開放位置に変位する。この場合、入賞装置ユニット１９０の左側からは、球振り分け装置２００を経由することなく、遊技領域８ａから遊技球が容易に流入することがわかる。なお、可変始動入賞装置２８の作動時でも、球振り分け装置２００の第２放出口２０３から遊技球が放出された場合、２本のスタッド部材１９８の間を通って左始動入賞口２８ａへの入賞が可能である。
【０１５５】
図２０中（Ｂ）：また、球振り分け装置２００の第２放出口２０３から遊技球が放出された場合でも、上記のように遊技球がスタッド部材１９８に弾かれて２本のスタッド部材１９８の間に流入しない場合もある。この場合でも、可変始動入賞装置２８の作動時には、一対の可動片２８ｂの先端同士の間が左始動入賞口２８ａとして拡幅されている。したがって、非作動時であれば入賞しなかったはず遊技球も、可変始動入賞装置２８の作動時には左始動入賞口２８ａへの入賞が可能となることが分かる。
【０１５６】
以上が第１構造の入賞装置ユニット１９０を用いた説明であるが、第２構造の入賞装置ユニット２９０の場合、ここまでの説明と左右の勝手が反対となる。すなわち、第２構造の入賞装置ユニット２９０では、可変始動入賞装置２８が右側に配置されるため、これに合わせて右側が右始動入賞口２８ａとなり、左側が左始動入賞口２６となる。
【０１５７】
いずれにても、上述した第１〜第３構造の入賞装置ユニット１９０，２９０，３９０によれば、ベース部材１９２及び球振り分け装置２００を構成する部品やベース部材１９２の裏面側に取り付けられる部品を汎用性の高い形状としつつ、これら共通部品に対して前面側部材３０２，３２２，３３２を選択的に用いるだけで、多様な盤面構成（例えば、図３，図７，図１０）に対応することができる。
【０１５８】
したがって、状態別の発射操作（「左打ち」と「右打ち」）が異なる遊技性に合わせて構造の異なる遊技盤ユニット８に入賞装置ユニット１９０，２９０，３９０を搭載する場合であっても、ほとんどの部品が流用可能であるため、それだけ製造コストを低減することができる。
【０１５９】
また、第１〜第３構造の入賞装置ユニット１９０，２９０，３９０のいずれかをパチンコ機１に搭載することで、多様な遊技性を容易かつ低コストに実現することができる。
【０１６０】
本発明は上述した実施形態に制約されることなく、種々に変形して実施することができる。
例えば、一実施形態では球振り分け装置２００と始動入賞口ユニット３００とでベース部材１９２を共通にしているが、球振り分け装置２００と始動入賞口ユニット３００とを構造的に分離し、それぞれに専用のベース部材を設けてもよい。この場合、球振り分け装置２００と始動入賞口ユニット３００との間に障害釘（遊技釘）を打設し、スタッド部材１９８の設置を省略してもよい。
【０１６１】
また、入賞装置ユニットは、左右両側の球通過孔１９６にそれぞれ対応して、２つの可変始動入賞装置２８を備えていてもよい。この場合、前面側部材の内部には、左右両側にそれぞれ可動片受け部３０２ｂ及び球受け部３０２ｃを形成することができる。
【０１６２】
その他、パチンコ機１の構造や盤面構成等は図示のものも含めて好ましい例示であり、これらを適宜に変形可能であることはいうまでもない。
【符号の説明】
【０１６３】
１    パチンコ機
８    遊技盤ユニット
８ａ  遊技領域
２０    始動ゲート
２８    可変始動入賞装置
２８ｂ  可動片
３０    可変入賞装置
３３    普通図柄表示装置
３３ａ  普通図柄作動記憶ランプ
３４    特別図柄表示装置
４２    液晶表示器
７０    主制御装置
７２    主制御ＣＰＵ
７４    ＲＯＭ
７６    ＲＡＭ
８８    ソレノイド
１２４    演出制御装置
１２６    演出制御ＣＰＵ
１９０，２９０，３９０    入賞装置ユニット
１９２    ベース部材
１９６    球通過孔
３０２，３２２    前面側部材
３３２    代替前面側部材
【図１】
0005985854.tif 000002
【図２】
0005985854.tif 000003
【図４】
0005985854.tif 000004
【図３】
0005985854.tif 000005
【図５】
0005985854.tif 000006
【図６】
0005985854.tif 000007
【図７】
0005985854.tif 000008
【図８】
0005985854.tif 000009
【図９】
0005985854.tif 000010
【図１０】
0005985854.tif 000011
【図１１】
0005985854.tif 000012
【図１２】
0005985854.tif 000013
【図１３】
0005985854.tif 000014
【図１４】
0005985854.tif 000015
【図１５】
0005985854.tif 000016
【図１６】
0005985854.tif 000017
【図１７】
0005985854.tif 000018
【図１８】
0005985854.tif 000019
【図１９】
0005985854.tif 000020
【図２０】
0005985854.tif 000021